(57)【特許請求の範囲】
【請求項１】
壁紙の送り方向に沿って壁紙の両端部を所望の幅に裁断する壁紙糊付機用スリッターにおいて、壁紙の裏面側に回転軸を有する回転刃と上記回転刃と接する固定刃と、壁紙の幅方向に移動可能とされ任意の位置に固定可能なベース部材を具備し、上記回転刃は常に上記固定刃側へ付勢された状態で回転自在に上記ベース部材に設けられ、上記固定刃は上記ベース部材に対して進退できる位置決め調整手段を有して上記回転刃によって付勢され、上記回転刃と上記固定刃による壁紙の裁断位置近傍において壁紙の搬送経路が曲げられるように構成されて、壁紙搬送時には上記搬送経路において壁紙が上記回転刃側へ付勢された状態となって壁紙の裁断を行うことを特徴とする壁紙糊付機用スリッター。
【請求項２】
上記回転刃は回転刃取付部材と断面円形の壁紙ガイドによって挟んで固定され、一つの回転体を構成し、上記回転軸および上記ベース部材に対してスライド自在となっていることを特徴とする請求項１記載の壁紙糊付機用スリッター。
【請求項３】
上記固定刃の位置決め調整手段において、固定刃を取り付ける板部材を具備し、上記板部材は、回転刃と回転刃取付部材と断面円形の壁紙ガイドからなる上記一つの回転体の付勢を受けない側の端部を保持する部材を有することにより、固定刃側への付勢力を固定刃と分散することを特徴とする請求項２記載の壁紙糊付機用スリッター。
【発明の詳細な説明】
【技術分野】
【０００１】
本発明は、壁紙糊付機に使用するスリッターに関するものである。
【背景技術】
【０００２】
従来より、壁紙の貼り付け作業においては、重ね切り施工と突きつけ施工という２種類の施工方法が行われている。前者は隣り合う壁紙を重ねて貼り、重なった部分に定規または定規に変わるものを当て、重なった部分を上からカッターで切ることによつてジョイント部をぴったり合わせる方法であり、後者は壁紙の両端部を糊付け時にスリッターで切っておき、隣り合う壁紙の切断面を突き合わせて施工する方法である。突き付け施工においてはもちろんのこと、重ね切り施工においても壁紙の両端の無地の紙だけの部分を予め切っておくということがよく行われている。どちらの方法にしても壁紙を所望の幅に調整するための幅合わせが必要となるため、壁紙の両側を切り落として幅合わせするためのスリッターが使用されている。この壁紙糊付機用スリッターについては、これまでにも様々な型式のものが開発され、実用化されている。その代表的なスリッターとしての構造が、特開２００２−３６１７０号公報に図１として開示がなされている。
【０００３】
また、特開２００２−３６１７０号公報においては、壁紙の送り方向の両側において、送り方向に直交して、壁紙の表面または裏面に取付軸が配設され、該取付軸の軸方向に移動可能で動作時は軸の所定位置に固定して回転する裁断刃を両側にそれぞれ一つ有し、裁断刃を挟んで裁断刃の両側に近接して回転ローラを具備し、壁紙のもう一方の面の側には、裁断刃の両側の回転ローラと対向して壁紙を挟む壁紙押え手段を有し、該壁紙押え手段と回転ローラにより壁紙を挟み付け、壁紙が搬送される際に所望の幅に裁断することを特徴とする壁紙糊付機用スリッターの提案がなされてもいる。
【０００４】
【特許文献１】特開２００２−３６１７０号公報
【発明の開示】
【発明が解決しようとする課題】
【０００５】
食い違い状に上刃と下刃を具備する型式のスリッターの課題としては、裁断位置に刃物を固定すると微調整のために移動させることが非常に手間であり、刃物の位置固定は神経を使う作業となっていた。また上刃と下刃の両方の固定作業が必要となっていた。
【０００６】
そしてさらに、上刃と下刃を食い違い状に圧接している構造から、切断する際に壁紙の表面側と裏面側から刃物で挟むことにより、壁紙切断部が押しつぶされて復元しきらない壁紙が存在していることが課題としてあった。壁紙の表面側の切断部が押しつぶされた状態であると、壁紙を突きつけ施工した後、隣り合う壁紙を貼った継ぎ目、すなわちジョイント部分がつぶれているためにどこに壁紙の継ぎ目があるか目立ってしまい、ジョイントの目立たない美しい仕上げができなかったのである。
【０００７】
特開２００２−３６１７０号公報開示の発明では、押え手段を有し、具体的には押えローラや板状部材で壁紙の表面側を押さえているが、回転刃で壁紙を裁断するためには、壁紙によっては壁紙の表面にこの押え手段の跡が強く残ってしまうという問題があった。具体的には厚みの薄い壁紙は問題とはならないが、織物系の壁紙や、発泡系の壁紙では、裁断するためには押え手段で強い力で押さえて裁断刃に対して強く押しつけるようにしなければ裁断できなかった。すなわち、強い力で押さえるために、上記の織物柄や発泡柄をつぶしてしまい、壁紙表面に押え手段の跡が残るという課題があった。
【０００８】
また、固定刃を板状部材に設けた例も開示されているが、壁紙の厚みにより板状部材が動くため、固定刃も板状部材の動きに合わせて動き、裁断の不安定を発生させてしまうという課題もあった。
【０００９】
そして、回転刃の位置決めをして固定した後に、少し位置を微調整することについても、食い違い状に上刃と下刃を具備する型式のスリッターと同様手間のかかる作業で、神経を使う作業となっていた。
【課題を解決するための手段】
【００１０】
上記課題を解決するために本発明の請求項１は、壁紙の送り方向に沿って壁紙の両端部を所望の幅に裁断する壁紙糊付機用スリッターにおいて、壁紙の裏面側に回転軸を有する回転刃と上記回転刃と接する固定刃と、壁紙の幅方向に移動可能とされ任意の位置に固定可能なベース部材を具備し、上記回転刃は常に上記固定刃側へ付勢された状態で回転自在に上記ベース部材に設けられ、上記固定刃は上記ベース部材に対して進退できる位置決め調整手段を有して上記回転刃によって付勢され、上記回転刃と上記固定刃による壁紙の裁断位置近傍において壁紙の搬送経路が曲げられるように構成されて、壁紙搬送時には上記搬送経路において壁紙が上記回転刃側へ付勢された状態となって壁紙の裁断を行うことを特徴とする壁紙糊付機用スリッターとしている。
【００１１】
本発明は、固定刃と回転刃で壁紙の裁断を行うように構成したものである。固定刃をベース部材に対して進退できる位置決め手段を有し、その固定刃へ回転刃を沿わせるように構成し、さらに壁紙の裏面側から表面側へ向けて回転刃で裁断しているため、壁紙の表面側を傷めることがなく、裁断の直線性を向上させることができる。そして、固定刃の位置決め手段により、容易に壁紙の裁断位置を変更することができるのである。
【００１２】
本発明の請求項２は、上記回転刃は回転刃取付部材と断面円形の壁紙ガイドによって挟んで固定され、一つの回転体を構成し、上記回転軸および上記ベース部材に対してスライド自在となっていることを特徴とする請求項１記載の壁紙糊付機用スリッターとしている。
【００１３】
本発明により、回転刃の取付や取り替えの際の作業が容易にできる構造とでき、固定刃に対して付勢できる構造を少ない部品点数で可能としている。
【００１４】
本発明の請求項３は、上記固定刃の位置決め調整手段において、固定刃を取り付ける板部材を具備し、上記板部材は、回転刃と回転刃取付部材と断面円形の壁紙ガイドからなる上記一つの回転体の付勢を受けない側の端部を保持する部材を有することにより、固定刃側への付勢力を固定刃と分散することを特徴とする請求項２記載の壁紙糊付機用スリッターとしている。
【００１５】
本発明により、回転刃に与えられた付勢力を固定刃だけで受けるのではなく別部材でも保持するという構造とできるため、付勢力を与える手段として具体的にはバネ等を強くしておくことが可能となる。このため、位置調整手段で固定刃の位置を変更する際においても、固定刃と回転刃の接する部分にのみ力がかかって刃を傷めたりすることも防ぐことができる。
【発明の効果】
【００１６】
本発明により、壁紙に対してテンションをかけた状態として、安定した裁断が可能となる。固定刃と回転刃により安定した裁断を可能とし、さらに、回転刃により、壁紙の裏面側から表面側に向けて裁断するため、壁紙の表面を傷めることなく裁断することができ、壁紙の施工後において仕上がりの美しいジョイントとすることが可能となる。
【００１７】
そして、さらに固定刃の位置を容易に変更できる構成を有しているために、壁紙の裁断位置の変更を作業者が容易に行えるため柄合わせ等の位置決めが容易に行えるようになる。
【発明を実施するための最良の形態】
【００１８】
本発明は、壁紙糊付機用スリッターにおいて、壁紙の裁断位置近傍において壁紙の搬送経路が曲げられるように構成され、壁紙搬送時には上記搬送経路において壁紙が上記回転刃側へ付勢された状態となって壁紙の裁断を行うことを特徴とし、壁紙の裁断位置の微調整が容易に行えることをも特徴としている。以下にその詳細を説明する。
【００１９】
スリッター１が壁紙糊付機へ着脱自在な構成であることはすでによく知られた構成であり、本発明の特徴となる切断の刃物部分の詳細を説明する。
【００２０】
本発明のスリッター１は、図１から図３に示したように両側のフレーム（図示せず）間に刃物取付ステー８が設けられており、この刃物取付ステー８にスライドベース５が位置固定可変に設けられている。スライドベース５は、刃物取付ステー８の溝部に嵌合してスライド自在に構成され、固定ネジ９と固定ナット１０により刃物取付ステー８の一部を挟み込むことで位置決めされる構成となっている。
【００２１】
そしてこのスライドベース５には、壁紙Ａを裁断する刃物として回転刃２と固定刃２０とが設けられているのであるが、まず回転刃２の取付構造から説明する。回転刃２は厚みの薄い刃物であり、この回転刃２は壁紙ガイド３の雌ネジと回転刃取付部材４の雄ネジによる結合の際に挟み込まれて一体の回転体を構成する。そして、回転刃取付部材４の一端がスライドベース５にベアリング６によって回転自在に取り付けられ、回転刃取付部材４のＤカット貫通穴４ａにシャフト７が通されている。このシャフト７は従来既知のスリッターと同様に両側のフレーム（図示せず）間にわたって設置され、片方のフレーム側において回転駆動のためのギア等を有している。回転駆動のためのギア等はカバー内に収納されている。
【００２２】
回転刃取付部材４をスライドベース５に回転自在に取り付ける際には、バネ２２を回転刃取付部材４とスライドベース５（具体的には、スライドベース５にはめ込まれたベアリング６の内輪６ａ）との間に設けて、回転刃２が常にスライドベース５から離れる方向へ付勢している。このため回転刃取付部材４はシャフト７とベアリングの内輪６ａとの間をシャフト７に沿ってバネ２２によって付勢され、移動可能な状態となっている。この付勢された回転刃２は固定刃２０に当接して位置決めされる。
【００２３】
固定刃２０は、固定刃取付部材２１に取付けられているのであるが、この固定刃取付部材２１には位置調節ボルト２３とガイドシャフト２４も設けられている。位置調節ボルト２３とガイドシャフト２４はそれぞれスライドベース５を貫通する穴に、がたつきがなく精度良い状態で挿通され、調節ボルト２３には調節用ネジ２５が取り付けられている。この調節ボルト２３における調節用ネジ２５の位置によって、裁断位置となる固定刃２０の位置決めが行われる。すなわち、バネ２２で付勢された回転刃２が固定刃２０をスライドベース５から離れる方向に押すのであるが、調節ボルト２３に取り付けられた調節用ネジ２５の端部がスライドベース５に当接して位置決めされる構成となっているのである。このため、調整用ネジ２５を回転させることにより、固定刃２０の位置をスライドベース５に対して進退させることができ、図に開示したように、回転刃２が固定刃２０に当接した状態でその位置を容易にかつ微少な単位で調整することができるのである。
【００２４】
そしてまた、スライドベース５は、壁紙切断片Ｂが壁紙糊付機側へ入らないようにするための切断片ガイド５ａを有してもいる。（図４参照）
【００２５】
図１から図３に示した刃物部分は壁紙Ａが挿入される側から見て右側の壁紙端を切断する構成を説明したものであるが、これらと勝手反対のものがスリッター左側にも設けられ、壁紙端部両側を切断できる構成をスリッターは有している。また、シャフト７の中央には、壁紙ガイド３と同径のガイドローラー（図示せず）を従来のスリッター同様に適宜設けておくと良い。
【００２６】
上記のような構成をしたスリッター１で壁紙を裁断することについて説明する。壁紙Ａの原反ロール（図示せず）から引き出された壁紙Ａは、壁紙糊付機の原反保持装置（図示せず）に回転自在に保持され、テンションステー等（図示せず）により適宜テンションがかけられた状態で糊付機内へ入る前にスリッターにおいてその端部を所望の幅に裁断する。裁断するにあたって、スリッター１の両側のスライドベース５を所望の幅に位置合わせしてそれぞれの裁断位置を位置決めする。
【００２７】
そして壁紙Ａをスリッターに通すのであるが、このとき、搬送ガイド１１でまず図４に示すように固定刃２０と回転刃２の接点に向かうように搬送方向を変えられる。そして、Ｐの位置において壁紙の裏面側より表面側に向かって図４の矢印方向に回転する回転刃２と固定刃２０により裁断される。そして壁紙ガイド３の上縁（Ｑの位置）に接して向きを変えられる。すなわち、搬送ガイド１１で搬送方向を変えられた壁紙ＡはＱ位置まで直線的に搬送され、Ｑ位置において角度Ｒ分再度搬送方向を変えられるという経路とされているのである。そして搬送方向を変える搬送ガイド１１とＱ位置の間に切断位置Ｐが位置している。
【００２８】
壁紙糊付機として自動壁紙糊付機を使用する場合等搬送ガイド１１やＱ位置で壁紙Ａの搬送方向を変えるため、壁紙Ａは搬送の際には、回転刃２側に対して押しつけるようなテンションがかかることとなり、このテンションの働きによって固定刃２０と回転刃２で壁紙Ａの裏面から表面へ向けて安定した壁紙の裁断が可能となるのである。この裁断の方式により、壁紙の表面側を傷めたり、壁紙表面端部をつぶしてしまったりすることがなく、所望の幅に壁紙を裁断することができるのである。
【００２９】
壁紙Ａをスリッターに通す際に、柄物の壁紙であると、最初にスライドベース５を固定した位置では微妙に裁断位置がずれていることがある。その際には調節用ネジ２５を回転させて固定刃２０と回転刃２をスライドベース５に対して進退させて所望の位置へ位置合わせをするのである。一端スライドベース５を位置決めした後にスライドベース５の位置変更を行うことは作業的に手間であるため、調節用ネジ２５で容易に裁断位置を変更できる構成としておくことで糊付作業の効率化が図れるのである。
【００３０】
ここで図３のＳは壁紙糊付機に設けられたステーであり、スリッター１の着脱等にも従来から使用されているステーである。壁紙Ａは、このステーでもまた搬送方向を変えられて糊付機内へと搬送される。
【００３１】
図１に示した１２は回転刃２の砥石である。普段はバネ１３で回転刃２から退避させておき、回転刃２が切れなくなった時に回転刃２を回転させながら砥石１２を押付けて回転刃２を研ぐ構成としておくとよい。１４は砥石１２をスライドベース５へ取り付けるための砥石取付具である。この砥石は壁紙の経路に影響しない位置であれば回転刃周上のどこに設置しておいてもよい。
【００３２】
砥石１２はスライドベース５に設けているため、調整用ネジ２５で裁断位置を変更すると回転刃２に対する砥石１２の当たり方が変化してしまうので、スライドベース５から突出したガイドシャフト２４に適宜目盛を記すなどして、回転刃２の位置を一定位置で回転刃２の研磨ができるような構成としておくことが望ましい。
【００３３】
つぎに図１から図４に示した構造を少し変更した実施の形態を図５から図８にを示す。本実施の形態においては、図５および図７に示すように固定刃取付部材２１にピン２６，２６を２本取り付け、そのピン２６，２６に壁紙ガイド３の端部に当接する壁紙ガイド受け部材２７を取り付けている。この壁紙ガイド受け部材２７にはベアリング２８が取り付けられており、このベアリング２８で回転する壁紙ガイド３を回転自在に当接している。
【００３４】
この構成により、バネ２２の付勢力が固定刃２０と回転刃２だけにかからないように分散し、調整用ネジ２５で固定刃２０の位置を調整する際には、ベアリング２８と壁紙ガイド３が当接しながら切断位置を変更し、固定刃２０や回転刃２を傷めたりすることがないような構成としている。
【００３５】
また、分散して保持するためにバネ２２の付勢力を強くしておくことも可能で、固定刃２０と回転刃２にかかる付勢力を必要最小限とすることができ、回転刃２は厚みの薄い刃物を使用することが可能となる。また、固定刃２０を取り付ける部材の強度も刃物部分だけで付勢力を受ける構造の場合からすると幅や厚み等を小さくまた薄くすることができ、コンパクトな構成にすることができる。
【００３６】
本実施の形態においては、砥石１２の取り付け場所を図５および図７に示したように、上記固定刃取付部材２１にしている。このため、調整用ネジ２５で固定刃の位置を変更しても回転刃２と砥石１２の位置関係は変わらないため、回転刃２の研磨について位置関係に特に注意することなく研磨することができる構成となっている。
【００３７】
ベアリング２９は、固定刃取付部材２１の取付位置を安定させるために設けたもので、固定刃取付部材２１とガイドシャフト２４が強固に取り付けられ、回転刃取付部材４との間にバネ２２を配置するための充分なスペースを持たせれば特に設けなくても構わない。本実施の裁断に関しては上記図１から図４に示した実施の形態と同様のため繰り返し説明はせずに省略する。
【００３８】
本実施の形態により、固定刃２０と回転刃２に不必要にバネ２２の付勢力がかかることを防ぎ、安定した裁断を可能としながら、壁紙の裁断位置を容易に調整できるスリッターが提供できるのである。
【図面の簡単な説明】
【００３９】
【図１】本発明のスリッターの刃物部を説明する図。
【図２】図１のスリッターの刃物部左側面からの構成を説明する図。
【図３】図１のスリッターの刃物部右側面からの構成を説明する図。
【図４】スリッターの壁紙の裁断を説明する側面図。
【図５】本発明のスリッターの別の実施の形態の刃物部を説明する図。
【図６】図５のスリッターの刃物部左側面からの構成を説明する図。
【図７】図５のスリッターの刃物部右側面からの構成を説明する図。
【図８】スリッターの壁紙の裁断を説明する側面図。
【符号の説明】
【００４０】
Ａ    壁紙
１    スリッター  
２    回転刃  
３    壁紙ガイド  
４    回転刃取付部材
４ａ  Ｄカット貫通穴
５    スライドベース  
５ａ  切断片ガイド
６    ベアリング  
７    シャフト  
８    回転刃取付ステー  
９    固定ネジ  
１０    固定ナット
１１    搬送ガイド  
１２    砥石  
１３    バネ  
１４    砥石取付具
２０    固定刃  
２１    固定刃取付部材
２２    バネ
２３    位置調節ボルト
２４    ガイドシャフト
２５    調節用ネジ
２６    ピン
２７    壁紙ガイド受け部材
２８    ベアリング
２９    ベアリング
【図１】
0004604257.tif 000002
【図２】
0004604257.tif 000003
【図３】
0004604257.tif 000004
【図４】
0004604257.tif 000005
【図５】
0004604257.tif 000006
【図６】
0004604257.tif 000007
【図７】
0004604257.tif 000008
【図８】
0004604257.tif 000009